(57)【要約】　　　（修正有）【課題】呼び出しや伝言などの利用者同士の連絡や、混雑情報の連絡を的確に行うことができる情報提示システムを提供すること。【解決手段】本発明の情報提示システムは、ＩＣカードを利用者のグループ単位で登録し発行するＩＣカード発行装置１０１と、利用者のグループ単位の伝達情報が入力される情報表示受付装置１０４と、予め定めた場所に設けられＩＣカードを読み取るＩＣカード読み取り装置と、伝達情報の表示を行う表示装置１０５、１０６とを備え、ＩＣカード読み取り装置がグループのＩＣカードを読み取ったとき、予め定めたエリア内の表示装置１０５、１０６に伝達情報の表示を行うこととした。【選択図】図１
2004013613.tif 000002
【特許請求の範囲】
【請求項１】
情報記憶媒体を利用者のグループ単位で登録し発行する情報記憶媒体発行装置と、利用者のグループ単位の伝達情報が入力される情報表示受付装置と、予め定めた場所に設けられ前記情報記憶媒体を読み取る情報記憶媒体読み取り装置と、前記伝達情報の表示を行う表示装置とを備え、前記情報記憶媒体読み取り装置が前記グループの前記情報記憶媒体を読み取ったとき、予め定めたエリア内の前記表示装置に前記伝達情報の表示を行うことを特徴とする情報提示システム。
【請求項２】
前記情報記憶媒体がＩＣカードであることを特徴とする請求項１に記載の情報提示システム。
【請求項３】
前記情報表示受付装置は、複数設けられ、前記情報記憶媒体の読み取りと、前記グループの他の利用者に向けた伝達情報の入力が行われ、前記表示装置に前記情報記憶媒体の利用者に関連する情報と前記伝達情報が表示されることを特徴とする請求項１または２に記載の情報提示システム。
【請求項４】
前記情報記憶媒体読み取り装置は、利用者が出入りする場所に設けられ、読み取った入出情報から前記場所の混雑状況を求め、前記混雑状況を前記表示装置に表示することを特徴とする請求項１から３のいずれか１項に記載の情報提示システム。
【請求項５】
前記情報記憶媒体発行装置は、前記情報記憶媒体の発行を入金に対し自動で行い、前記情報記憶媒体発行時に前記情報記憶媒体より顧客情報の収集を行うことを特徴とする請求項１から３のいずれか１項に記載の情報提示システム。
【請求項６】
前記情報記憶媒体の回収を行う情報記憶媒体回収装置を設け、情報記憶媒体回収時にアンケート情報の収集を行うことを特徴とする請求項１から４のいずれか１項に記載の情報提示システム。
【請求項７】
前記表示装置は、前記伝達情報が複数あるときには、一定時間ごとに表示を切り替えることを特徴とする請求項１から４のいずれか１項に記載の情報提示システム。
【発明の詳細な説明】
【０００１】
【発明の属する技術分野】
本発明は、呼び出しや伝言などの利用者同士の連絡や、混雑情報の連絡を的確に行うことができる情報提示システムに関する。
【０００２】
【従来の技術】
例えば、従来のスキー場やテーマパークなどでは、利用者が呼び出しを行いたいときには施設内の場内放送が利用され、場内での利用者間の連絡には伝言板が用いられている。
【０００３】
【発明が解決しようとする課題】
しかしながら、従来のスキー場やテーマパークなどの特定のエリアにグループで来場している利用者が別行動をとり再び落ち合う際に、時間と待ちあわせ場所を決めて落ち合うなどしているが、緊急事態により、予定時間より早く集合をかけたい場合や、待ち合わせ場所の変更の連絡を行う場合は、施設内の場内放送を利用するか、個人のもつ携帯電話による連絡を行うしかなく、場内放送の場合は、個人名が放送されるため、呼び出される利用者がはずかしい思いをしたり、携帯電話の場合は、サービスエリア外で使用できないという問題があった。
【０００４】
また、利用者間で情報をやりとりする連絡として伝言板があるが、伝言板は、広いエリアで複数個所に設置された場合、全伝言板に同一の情報を掲載することは不可能であり、結局は特定箇所でしか伝言を伝えることができないという問題があった。
【０００５】
また、エリア内の食堂や、休憩所は、昼食時間を中心に、その前後の時間は非常に混雑し、席を確保するために、長期間待たなければならないこともあり、わざと時間帯をずらしても、実際に行ってみなければ混雑状況がわからず、実際に現地にいって混雑状況を確認しなけらばならないという問題があった。
【０００６】
さらに、エリア内の施設の経営者としては、経営企画上、利用者がどこからくるか、年齢、性別、グループ人数、来場時間、退場時間などのマーケティング情報や、実際にスキー場やテーマパークですごした利用者の施設などに対する評価などのアンケート情報を収集することは非常に意味のあることであるが、そのために、アンケート用紙を用意して利用者に記入してもらうことは効率的にも良くなく、収集のために人が必要であるという問題があった。
【０００７】
本発明は、このような従来の問題を解決するためになされたものであり、呼び出しや伝言などの利用者同士の連絡や、混雑情報の連絡を的確に行うことができる情報提示システムを提供するものである。
【０００８】
【課題を解決するための手段】
本発明の情報提示システムは、情報憶媒体を利用者のグループ単位で登録し発行する情報記憶媒体発行装置と、利用者のグループ単位の伝達情報が入力される情報表示受付装置と、予め定めた場所に設けられ前記情報記憶媒体を読み取る情報記憶媒体読み取り装置と、前記伝達情報の表示を行う表示装置とを備え、前記情報記憶媒体読み取り装置が前記グループの前記情報記憶媒体を読み取ったとき、予め定めたエリア内の前記表示装置に前記伝達情報の表示を行うこととした。
【０００９】
この構成により、受け取り対象となる利用者が存在する表示装置にのみ呼び出しや伝言の伝達情報が表示され、特定エリア内にいる利用者にのみ伝達情報を伝え、利用者同士の連絡を的確に行うことができる。
【００１０】
また、前記情報記憶媒体がＩＣカードであることとした。
【００１１】
この構成により、情報記憶媒体読み取り装置による読み取りを容易に行うことができる。
【００１２】
また、前記情報表示受付装置は、複数設けられ、情報記憶媒体の読み取りと、前記グループの他の利用者に向けた伝達情報の入力が行われ、前記表示装置に前記情報記憶媒体の利用者に関連する情報と前記伝達情報が表示されることとした。
【００１３】
この構成により、グループの他の利用者に向けた伝達情報が、場内の複数箇所に設置されたどの情報表示受付装置からでも入力され、利用者同士の伝達情報を場内の複数箇所でやりとりすることができ、利用者同士の連絡を的確に行うことができる。
【００１４】
また、前記情報記憶媒体読み取り装置は、利用者が出入りする場所に設けられ、読み取った入出情報から前記場所の混雑状況を求め、前記混雑状況を前記表示装置に表示することとした。
【００１５】
この構成により、食堂や休憩所などの集合場所に行かなくてもその混雑状況を的確に知ることができる。
【００１６】
また、前記情報記憶媒体発行装置は、前記情報記憶媒体の発行を入金に対し自動で行い、前記情報記憶媒体発行時に前記情報記憶媒体より顧客情報の収集を行うこととした。
【００１７】
この構成により、施設の経営者は、顧客情報による利用者のマーケット情報容易に収集することができる。
【００１８】
また、前記情報記憶媒体の回収を行う情報記憶媒体回収装置を設け、情報記憶媒体回収時にアンケート情報の収集を行うこととした。
【００１９】
この構成により、アンケート情報を容易に収集することができる。
【００２０】
さらに、前記表示装置は、前記伝達情報が複数あるときには、一定時間ごとに表示を切り替えることとした。
【００２１】
この構成により、複数の情報を的確に表示し、複数の利用者同士の連絡を的確に行うことができる。
【００２２】
【発明の実施の形態】
以下、本発明の実施の形態について、図面を用いて説明する。
【００２３】
図１は、本発明の実施の形態の情報提示システムのブロック図を示す。説明の便宜のため、スキー場に適用した例によって説明するが、これに限るものではない。
【００２４】
図１に示すように、本発明の実施の形態の情報提示システムは、従来のリフト券売り場に相当する場所などに設置されＩＣカードの発行を行うＩＣカード発行装置１０１と、同じく従来のリフト券売り場に相当する場所などに設置されＩＣカードの回収を行うＩＣカード回収装置１０２と、リフト乗り場の従来の改札に相当する場所に設置されたリフト改札装置１０３と、リフト降り場近辺や、食堂や休憩所の内外などの集合場所に設置された情報表示受付装置１０４と、リフト乗車中に見える場所に設置された屋外型大型表示装置１０５と、食堂や休憩所の屋内で広範囲の見やすい場所に設置された屋内表示装置１０６と、食堂や休憩所の入口に設置された入口装置１０７と、食堂や休憩所の出口に設置された出口装置１０８と、管理事務所内などに設置された中央制御装置１０９ととで構成され、上記各装置間はネットワークであるＬＡＮ（図示せず）で接続している。
【００２５】
図２は、本発明の実施の形態の情報提示システムにおけるＩＣカード発行装置１０１のブロック図を示し、図３は、本発明の実施の形態の情報提示システムにおけるＩＣカード回収装置１０２のブロック図を示し、図４は、本発明の実施の形態の情報提示システムにおけるリフト改札装置１０３のブロック図を示し、図５は、本発明の実施の形態の情報提示システムにおける情報表示受付装置１０４のブロック図を示し、図６は、本発明の実施の形態の情報提示システムにおける入口装置１０７と出口装置１０８のブロック図を示し、図７は、本発明の実施の形態の情報提示システムにおける屋外型大型表示装置１０５と屋内表示装置１０６のブロック図を示し、図８は、本発明の実施の形態の情報提示システムにおける中央制御装置１０９のブロック図を示す。
【００２６】
以上のように構成された本発明の実施の形態の情報提示システムについて、図１を主体とし、図２から図８までを参照しその動作を説明する。
【００２７】
まず、スキー場の利用者の多くは、来場するとリフト券を購入する。このとき、リフト券がＩＣカードであるため、ＩＣカード発行装置１０１にてリフト券が発行される。ＩＣカード発行装置１０１の表示部２０１（図２参照）に表示されるガイダンスに従い、ＩＣカード発行装置１０１の入力部２０２（図２参照）より、リフト券種別、リフト券種別毎の枚数、代表者氏名、代表者住所などが入力される。利用者がリフト券を購入する場合、表示部２０１に必要な入金額が表示される。表示部２０１に表示された表示以上の金額がＩＣカード発行装置１０１の入金処理部２０３（図２参照）に入金される。ＩＣカード発行装置１０１の制御部２０６（図２参照）は、入金を検出するとグループＩＤを割り振り、各ＩＣカードに書きこむ、券種情報や、発行日時や、グループＩＤなどをＩＣカード発行装置１０１のＩＣカード発行部２０５（図２参照）に通知し、ＩＣカード発行を依頼する。釣銭がある場合は、ＩＣカード発行装置１０１の釣銭返却処理部２０４（図２参照）に釣銭返却を依頼する。制御部２０６からＩＣカード発行を依頼されたＩＣカード発行部２０５は、ＩＣカードのＩＣメモリあるいは、ＩＣカード表面の書き換え可能な印刷部分に、券種情報や、発行日時や、グループＩＤを書き込んで発行する。なお、ＩＣカードを発行するとき、一度に入金された金額により何人のグループかを判別して、同一グループであるとわかるグループＩＤを書き込むようにすることもでき、また、同一グループであるかどうかをガイダンスで確認してＩＣカードを発行することもできる。
【００２８】
また、釣銭返却を依頼された釣銭返却処理部２０４は、釣銭を返却する。ＩＣカードを発行したＩＣカード発行部２０５は、制御部２０６に発行したＩＣカードＩＤを通知する。制御部２０６は、ＩＣカード発行部２０５から受け取ったＩＣカードＩＤ、発行日時、券種別、グループＩＤ、代表者氏名、代表者住所、最終検出ロケーション、最終検出日時などからなるリフト券レコードを作成する。作成したリフト券レコードはＩＣカード発行装置１０１の通信部２０７（図２参照）から、ＬＡＮ経由で、中央制御装置１０９に送信される。中央制御装置１０９は、中央制御装置１０９の通信部８０５（図８参照）で、ＩＣカード発行装置１０１からリフト券レコードをＬＡＮ経由で受信し中央制御装置１０９の制御部８０３（図８参照）経由で、中央制御装置１０９のデータベース部８０６のリフト券データべース８０７（図８参照）に受信したリフト券レコードを追加登録する。図９は、リフト券データベース８０７に登録されたデータの一例を示す。
【００２９】
また、制御部８０３は、リフト券レコードのＩＣカードＩＤ、発行日時、代表者住所、券種別をデータベース部８０６のマーケット情報データベース８０８（図８参照）に登録し、その後回収日時とアンケート回答がマーケット情報データベース８０８に記憶される。図１０は、マーケット情報データベース８０８に登録されたデータの一例を示す。
【００３０】
リフト券を入手した利用者がリフトに乗車する場合、リフト乗り場でリフト改札装置１０３を通過しないとリフト乗車できないようになっており、利用者は、ＩＣカードをリフト改札装置１０３の表示部４０１（図４参照）のガイダンスにしたがって、リフト改札装置１０３のＩＣカード読み取り装置４０３（図４参照）にＩＣカードをかざす。ＩＣカード読み取り装置４０３は、ＩＣカードより、ＩＣカードＩＤと、券種別、発行日時を読み取り、リフト改札装置１０３の制御部４０４（図４参照）に通知する。制御部４０４は、券種別と発行日時から通過の可否を判断し、通過可能であれば、リフト改札装置１０３の改札開閉制御部４０２（図４参照）に、改札開放を指示する。改札開閉制御部４０２は、制御部４０４から改札開放を指示されると、改札を開放し、利用者を通す。制御部４０４は、ＩＣカード読み取り装置４０３から受け取ったＩＣカードＩＤと、改札通過時刻と、リフト改札装置１０３のＩＤであるロケーションコードからなるロケーションレコードを、リフト改札装置１０３の通信部４０５（図４参照）から、ＬＡＮ経由で中央制御装置１０９に送信する。
【００３１】
リフト改札装置１０３からＬＡＮ経由で、ロケーションレコードを受信した中央制御装置１０９は、中央制御装置１０９の通信部８０５（図８参照）から中央制御装置１０９の制御部８０３（図８参照）に受信データを渡す。制御部８０３は、中央制御装置１０９のデータベース部８０６（図８参照）のリフト券データベース８０７（図８参照）から受信したロケーションレコードのＩＣカードＩＤのレコードを検索し、該当するレコードの最終検出ロケーションにロケーションコードを登録し、最終検出日時に改札通過時刻を登録する。
【００３２】
同様に、図６に示すように、食堂や休憩所の入口装置１０７、出口装置１０８でも、利用者の通過の毎に、ＩＣカードＩＤ、ロケーションコード、通過時刻が、中央制御装置１０９に送られ、リフト券データベース８０７の最終検出ロケーション、最終検出日時が登録される。
【００３３】
ここである利用者が、別行動をとっている同一グループの他の利用者に呼び出しや伝言の伝達情報を伝えたい場合には、スキー場内の各所に設置されている情報表示受付装置１０４に伝言が入力される。
【００３４】
情報表示受付装置１０４の表示部５０１（図５参照）のガイダンスに従い、情報表示受付装置１０４のＩＣカード読み取り装置５０４（図５参照）にＩＣカードが利用者によりかざされる。ＩＣカードからＩＣカードＩＤを読み取ったＩＣカード読み取り装置５０４は、ＩＣカードＩＤを情報表示受付装置１０４の制御部５０３（図５参照）に渡す。制御部５０３は、ＩＣカードＩＤを受け取り、表示部５０１に、入力ガイダンスを表示し、情報表示受付装置１０４の入力部５０２（図５参照）から、伝言メッセージと、有効時間の入力を促す。入力部５０２から入力された伝言メッセージと有効時間は、制御部５０３で、入力時刻と、ロケーションコードと、ＩＣカードＩＤととも伝言登録レコードを作成し、情報表示受付装置１０４の通信部５０５（図５参照）からＬＡＮ経由で中央制御装置１０９に送信される。
【００３５】
情報表示受付装置１０４より、伝言登録レコードを受信した中央制御装置１０９は、制御部８０３にて、伝言レコードのＩＣカードＩＤをリフト券データベース８０７から検索し、該当レコードの最終検出ロケーションにロケーションコードを登録し、最終検出日時に入力時刻を登録する。図１１は、マーケット日時情報データベース８０９に登録されたデータの一例を示す。
【００３６】
また、リフト券データベース８０７から該当するＩＣカードＩＤのレコードのグループＩＤを読み出し、データベース部８０６のメッセージデータベースの該当グループＩＤのレコードに、伝言メッセージと、入力日時、有効時間を登録する。また、制御部８０３は、リフト券データベース８０７から、このグループＩＤを持つレコードを検索し、該当レコードの最終検出ロケーションを調べ、最終検出ロケーションのエリア内にある屋外型大型表示装置１０５または屋内表示装置１０６と、すべての情報表示受付装置１０４に、グループＩＤ、代表者名、代表者住所、伝言メッセージ、入力日時、有効時間からなる伝言表示レコードを通信部８０５からＬＡＮ経由で送信する。
【００３７】
中央制御装置１０９から伝言表示レコードを受信する屋外型大型表示装置１０５または屋内表示装置１０６は、屋外型大型表示装置１０５または屋内表示装置１０６の通信部７０３（図７参照）から伝言表示レコードを受信し、屋外型大型表示装置１０５または屋内表示装置１０６の制御部７０２（図７参照）で、入力日時と有効時間を確認し、表示有効時間内の場合には蓄積部７０４に蓄積する。また、制御部７０２は、蓄積部７０４に伝言表示メッセージが蓄積されたとき、受け取り対象となる利用者が存在する最終検出ロケーションのエリア内にある屋外型大型表示装置１０５または屋内表示装置１０６の表示部７０１（図７参照）に表示する。表示する伝言表示メッセージが複数ある場合は、一定時間毎に表示を切り替えるか、表示部７０１が大きい場合は、表示部を複数行に区切り、各行毎に伝言メッセージを横スクロール表示してもよい。また、制御部７０２は、一定時間毎に蓄積部７０４をチェックし、表示有効時間を過ぎた伝言表示メッセージを消去する。
【００３８】
また、中央制御装置１０９から伝言表示レコードを受信した情報表示受付装置１０４は、通信部５０５から制御部５０３に伝言表示レコードを渡す。制御部５０３は、情報表示受付装置１０４の蓄積部５０６（図５参照）に伝言表示レコードを蓄積する。制御部５０３は、一定時間毎に蓄積部５０６をチェックし、表示有効時間を過ぎた伝言表示メッセージを消去する。情報表示受付装置１０４は、利用者により伝言メッセージの表示利用の操作がされたとき、制御部５０３は、表示部５０１にＩＣカードをＩＣカード読み取り装置５０４にかざすように促す。利用者がＩＣカード読み取り装置５０４にＩＣカードをかざすと、ＩＣカード読み取り装置５０４はＩＣカードよりＩＣカードＩＤとグループＩＤを読み出し、制御部５０３に渡す。制御部５０３は、蓄積部５０６の伝言表示レコードから、該当するグループＩＤのレコードを検索し、該当するレコードがあった場合には表示部５０１に伝言メッセージと入力時刻を表示する。また、制御部５０３は、ＩＣカードから読み取ったＩＣカードＩＤと、読み取り時刻、ロケーションコードから、リフト改札装置１０３と同様にロケーションレコードを作成し、通信部５０５からＬＡＮ経由で中央制御装置１０９に送信する。ロケーションレコードを受信した中央制御装置１０９の動作は、リフト改札装置１０３の場合と同じである。
【００３９】
従って、本発明の実施の形態の情報提示システムは、乗車中のリフトから見える位置に設置された屋外型大型表示装置や、食堂内や休憩所内に設置された屋内表示装置のうち、受け取り対象となる利用者が存在する表示装置にのみ呼び出しや伝言の伝達情報が表示され、特定エリア内にいる利用者にのみ伝達情報を伝え、利用者同士の連絡を的確に行うことができる。また、グループの他の利用者に向けた伝達情報が、スキー場内の複数箇所に設置されたどの情報表示受付装置からでも入力され、利用者同士の伝達情報をスキー場内の複数箇所でやりとりすることができ、利用者同士の連絡を的確に行うことができる。
【００４０】
また、中央制御装置１０９は、一定時間毎に、リフト券データベース８０７の最終検出ロケーションが、食堂、休憩所であるレコード数を調べ、食堂、休憩所毎に、そのレコード数と定員数を比較し、施設名、混雑度、時刻からなる混雑レコードを作成し、屋外型大型表示装置１０５、屋内表示装置１０６、情報表示受付装置１０４に送信する。混雑度は、例えば、定員の１００％以上を満席、６０％以上を混雑、６０％未満を空きというように決定する。
【００４１】
中央制御装置１０９から混雑レコードを受信した屋外型大型表示装置１０５または屋内表示装置１０６は、蓄積部７０４に混雑レコードを蓄積し、制御部７０２の伝言表示スケジュールの間に混雑状況表示を割り込ませて表示する。
【００４２】
また、中央制御装置１０９から混雑レコードを受信した情報表示受付装置１０４は、蓄積部５０６に混雑レコードを蓄積し、混雑レコードは、制御部５０３の表示スケジュールにしたがって、表示部５０１に表示される。
【００４３】
従って、本発明の実施の形態の情報提示システムは、食堂や休憩所など集合場所に行かなくてもその混雑状況を的確に知ることができる。
【００４４】
また、利用者が、スキーを終え、スキー場を退場するとき、ＩＣカードを回収する手段としてＩＣカード回収装置１０２を利用する。ＩＣカードは、発行時にリフト使用料金にＩＣカード保証金として１０００円程度上乗せして支払ってもらい、ＩＣカードを返却することで保証金を利用者に返金するようにし、回収率を上げることができる。ＩＣカード回収装置１０２は、ＩＣカードの回収と返金を自動的に行うものである。ＩＣカード回収装置１０２が利用者により利用されるとき、ＩＣカード回収装置１０２の表示部３０１（図３参照）にガイダンスが表示され、ＩＣカード回収装置１０２のＩＣカード回収部３０６（図３参照）にＩＣカードを入れるように促す。ＩＣカードが回収されたことをＩＣカード回収部３０６が検出すると、ＩＣカード回収装置１０２の制御部３０３（図３参照）に伝えられ、制御部３０３は、表示部３０１にアンケート質問を表示する。アンケート質問は時間をかけないために、簡単な選択形式で３問程度とし、ＩＣカード回収装置１０２の入力部３０２（図３参照）から回答が入力される。アンケート質問に回答が入力されたとき、ＩＣカード回収装置１０２の返金処理部３０４（図３参照）に返金を依頼し、返金処理部３０４からＩＣカード保証金を返金する。このとき、アンケート協力のお礼とし、次回リフト割引券や、駐車場割引券などのクーポンを印刷する場合は、ＩＣカード回収装置１０２のクーポン印刷処理部３０５（図３参照）に依頼し、クーポンが印刷される。また、制御部３０３は、アンケートに協力するかしないかを表示部３０１に表示し、協力すると入力された場合にのみアンケートを実施してクーポンを発行し、協力しないと入力された場合には、返金のみを行うようにしてもよい。利用者全員にアンケートを要請するようにした場合には、制御部３０３は、ＩＣカードＩＤと、回収日時、アンケート回答からアンケートレコードを作成し、通信部３０７からＬＡＮ経由で中央制御装置１０９に送信する。
【００４５】
ＩＣカード回収装置１０２から、アンケートレコードを受信した中央制御装置１０９の制御部８０３（図８参照）は、通信部８０５からアンケートレコードを受け取り、中央制御装置１０９のデータベース部８０６のマーケット情報データベース８０８（図８参照）から、該当するＩＣカードＩＤのレコードを検索し、アンケートレコードの回収日時、アンケート回答を登録する。また、制御部８０３は１日の営業終了後、マーケット情報データベースの情報からマーケット日次情報を作成して中央制御装置１０９のデータベース部８０６のマーケット日次情報データベース８０９に保存する。マーケット日次情報は、中央制御装置１０９の入力部８０２（図８参照）からの管理者による操作により、中央制御装置１０９の表示部８０１（図８参照）に表示することや、中央制御装置１０９の印刷部８０４（図８参照）から帳票印刷することも可能である。
【００４６】
従って、本発明の実施の形態の情報提示システムは、経営者が、顧客情報による利用者のマーケット情報と、アンケート情報を容易に収集することができる。
【００４７】
なお、本発明の実施の形態では情報提示システムは、スキー場に限らずテーマパークなど他の施設についても同様の管理を行うことができる。また、本発明の情報提示システムが、例えば、テーマパークなどに設置された場合には、各アトラクションの入り口にリフト改札装置１０３に相当するものや呼び出しや伝言を行うための情報表示受付装置が置かれる。
【００４８】
また、本発明の実施の形態ではＩＣカードにつき説明したが、ＩＣカードに限らず幅広く記憶媒体を利用することができる。
【００４９】
【発明の効果】
本発明によれば、受け取り対象となる利用者が存在するエリアに設置された表示装置にのみ呼び出しや伝言の伝達情報が表示され、特定エリア内にいる利用者にのみ伝達情報を伝え、利用者同士の連絡を的確に行うことができる。
【図面の簡単な説明】
【図１】本発明の実施の形態の情報提示システムのブロック図
【図２】本発明の実施の形態の情報提示システムにおけるＩＣカード発行装置のブロック図
【図３】本発明の実施の形態の情報提示システムにおけるＩＣカード回収装置のブロック図
【図４】本発明の実施の形態の情報提示システムにおけるリフト改札装置ブロック図
【図５】本発明の実施の形態の情報提示システムにおける情報表示受付装置のブロック図
【図６】本発明の実施の形態の情報提示システムにおける入口装置と出口装置のブロック図
【図７】本発明の実施の形態の情報提示システムにおける屋外型大型表示装置と屋内表示装置のブロック図
【図８】本発明の実施の形態の情報提示システムにおける中央制御装置のブロック図
【図９】リフト券データベースに登録されたデータの一例を示す図
【図１０】マーケット情報データベースに登録されたデータの一例を示す図
【図１１】マーケット日時情報データベースに登録されたデータの一例を示す図
【符号の説明】
１０１　ＩＣカード発行装置
１０２　ＩＣカード回収装置
１０３　リフト改札装置
１０４　情報表示受付装置
１０５　屋外型大型表示装置
１０６　屋内表示装置
１０７　入口装置
１０８　出口装置
１０９　中央制御装置
２０１　ＩＣカード発行装置の表示部
２０２　ＩＣカード発行装置の入力部
２０３　ＩＣカード発行装置の入金処理部
２０４　ＩＣカード発行装置の釣銭返却処理部
２０５　ＩＣカード発行装置のＩＣカード発行部
２０６　ＩＣカード発行装置の制御部
２０７　ＩＣカード発行装置の通信部
３０１　ＩＣカード回収装置の表示部
３０２　ＩＣカード回収装置の入力部
３０３　ＩＣカード回収装置の制御部
３０４　ＩＣカード回収装置の返金処理部
３０５　ＩＣカード回収装置のクーポン印刷処理部
３０６　ＩＣカード回収装置のＩＣカード回収部
３０７　ＩＣカード回収装置の通信部
４０１　リフト改札装置の表示部
４０２　リフト改札装置の改札開閉制御部
４０３　リフト改札装置のＩＣカード読み取り装置
４０４　リフト改札装置の制御部
４０５　リフト改札装置の通信部
５０１　情報表示受付装置の表示部
５０２　情報表示受付装置の入力部
５０３　情報表示受付装置の制御部
５０４　情報表示受付装置のＩＣカード読み取り装置
５０５　情報表示受付装置の通信部
５０６　情報表示受付装置の蓄積部
６０１　出口装置と入口装置の表示部
６０２　出口装置と入口装置の制御部
６０３　出口装置と入口装置の扉開閉制御部
６０４　出口装置と入口装置のＩＣカード読み取り装置
６０５　出口装置と入口装置の通信部
７０１　表示装置の表示部
７０２　表示装置の制御部
７０３　表示装置の通信部
７０４　表示装置の蓄積部
８０１　中央制御装置の表示部
８０２　中央制御装置の入力部
８０３　中央制御装置の制御部
８０４　中央制御装置の印刷部
８０５　中央制御装置の通信部
８０６　中央制御装置のデータベース部
８０７　中央制御装置のリフト券データベース
８０８　中央制御装置のマーケット情報データベース
８０９　中央制御装置のマーケット日次情報データベース
【図１】
2004013613.tif 000003
【図２】
2004013613.tif 000004
【図３】
2004013613.tif 000005
【図４】
2004013613.tif 000006
【図５】
2004013613.tif 000007
【図６】
2004013613.tif 000008
【図７】
2004013613.tif 000009
【図８】
2004013613.tif 000010
【図９】
2004013613.tif 000011
【図１０】
2004013613.tif 000012
【図１１】
2004013613.tif 000013